(57)【要約】【課題】車玩具としてもロッキングチェアとしても遊ぶことができ、かつ安全で使いやすい乗用玩具を提供する。【解決手段】動物型で背部に跨がるようにした本体１と、この本体１を支持するフレーム２とから成り、フレーム２の前後両側に走行用の車輪３を備えた乗用玩具において、両側の車輪３を連結する車輪支持軸４を、上下に回動可能なアーム５を介してフレーム２に保持し、フレーム２の下面に下向きに膨出した弧状縁２ｃを形成し、アーム５を下方へ回動させると、車輪３が接地して車玩具となり、またアーム５を上方へ回動させると、フレーム２の弧状縁２ｃが接地してロッキングチェアとなり、それぞれの状態で、アーム５がフレーム２に設けた係止突起２ｄを乗り越えて係止され、車輪３が固定されるようにする。【選択図】図１
2006042972.tif 000002
【特許請求の範囲】
【請求項１】
動物型で背部に跨がるようにした本体と、この本体を支持するフレームとから成り、フレームの前後両側に走行用の車輪を備えた乗用玩具において、前記両側の車輪を連結する車輪支持軸を、上下に回動可能なアームを介してフレームに保持し、フレームの下面に下向きに膨出した弧状縁を形成し、アームを下方へ回動させると、車輪が接地して車玩具となり、またアームを上方へ回動させると、フレームの弧状縁が接地してロッキングチェアとなり、それぞれの状態で、アームがフレームに設けた係止突起を乗り越えて係止され、車輪が固定されるようにしたことを特徴とする乗用玩具。
【請求項２】
前記車輪の外周にゴム製の緩衝材を巻き付けたことを特徴とする請求項１に記載の乗用玩具。
【請求項３】
前記本体の尾を起立状態に保持して背凭れとしたことを特徴とする請求項１又は２に記載の乗用玩具。
【請求項４】
前記本体にボタンを押すと鳴き声を出す発声器を内蔵し、その電源となる電池収納ボックスを本体の腹部に出し入れ自在に収納したことを特徴とする請求項１乃至３のいずれかに記載の乗用玩具。
【発明の詳細な説明】
【技術分野】
【０００１】
この発明は、幼児が跨って遊ぶ車輪付きの乗用玩具に関するものである。
【背景技術】
【０００２】
従来より、幼児用の乗用玩具として、動物型で背部に跨がるようにした本体と、この本体を支持するフレームとから成り、フレームの前後両側に走行用の車輪を備えた車玩具が知られている。
【０００３】
また、上記車輪に代えて、フレームの下面に下向きに膨出した弧状縁を形成しておき、この弧状縁が接地してロッキングチェアとなる乗用玩具も知られている。
【発明の開示】
【発明が解決しようとする課題】
【０００４】
しかしながら、これらの乗用玩具では、幼児を車玩具でもロッキングチェアでも遊ばせようとすると、それぞれの玩具を購入しなければならず、このように二種の乗用玩具を購入するのは不経済であるだけでなく、玩具の保管に場所をとるという問題もある。
【０００５】
そこで、この発明は、車玩具としてもロッキングチェアとしても遊ぶことができ、かつ安全で使いやすい乗用玩具を提供しようとするものである。
【課題を解決するための手段】
【０００６】
上記課題を解決するため、この発明は、動物型で背部に跨がるようにした本体と、この本体を支持するフレームとから成り、フレームの前後両側に走行用の車輪を備えた乗用玩具において、前記両側の車輪を連結する車輪支持軸を、上下に回動可能なアームを介してフレームに保持し、フレームの下面に下向きに膨出した弧状縁を形成し、アームを下方へ回動させると、車輪が接地して車玩具となり、またアームを上方へ回動させると、フレームの弧状縁が接地してロッキングチェアとなり、それぞれの状態で、アームがフレームに設けた係止突起を乗り越えて係止され、車輪が固定されるようにしたのである。
【０００７】
また、車輪の外周にゴム製の緩衝材を巻き付け、本体の尾を起立状態に保持して背凭れとし、本体にボタンを押すと鳴き声を出す発声器を内蔵し、その電源となる電池収納ボックスを本体の腹部に出し入れ自在に収納したのである。
【発明の効果】
【０００８】
上記のように、この発明に係る乗用玩具は、車輪のアームを回動させてフレームに係止すると、車玩具としてもロッキングチェアとしても安全に使用できるので、二種の玩具を購入する必要がなく、経済性に優れ、家庭での保管時に場所をとることもない。
【０００９】
また、前記車輪の外周にゴム製の緩衝材を巻き付けると、住宅の床面を保護することができ、走行時の騒音が防止され、乗り心地も良好になる。
【００１０】
また、前記本体の尾を起立状態に保持して背凭れとすると、ロッキングチェアとして使用する際にも、幼児が安定して本体に着座できるようになる。
【００１１】
さらに、前記本体にボタンを押すと鳴き声を出す発声器を内蔵し、その電源となる電池の収納ボックスを本体の腹部に出し入れ自在に収納すると、消耗した電池を容易に交換することができる。
【発明を実施するための最良の形態】
【００１２】
以下、この発明の実施形態を添付図面に基づいて説明する。
【００１３】
図１及び図２に示すように、この乗用玩具は、動物型で背部に跨がるようにした本体１と、この本体１を支持するフレーム２とから成る。本体１の頭部には両側方へ突出する握り棒１ａが設けられ、フレーム２は、両側の枠材２ａを前後の桟材２ｂで連結した構成とされている。本体１は４本の脚部が桟材２ｂにねじ止めされて、フレーム２に固定されている。フレーム２の前後両側には、走行用の車輪３が備えられている。
【００１４】
両側の車輪３を連結する車輪支持軸４は、図３並びに図４乃至図６に示すように、上下に回動可能なアーム５を介してフレーム２の枠材２ａに保持され、アーム５を下方へ回動させた状態では、車輪３が接地して、この乗用玩具は、足漕ぎにより走行する車玩具として使用できる。
【００１５】
また、フレーム２の枠材２ａの下面には、下向きに膨出した弧状縁２ｃが形成され、アーム５を上方へ回動させると、図７に示すように、枠材２ａの弧状縁２ｃが接地して、この乗用玩具は、前後が上下に揺動するロッキングチェアとして使用できる。
【００１６】
そして、それぞれの状態で、図４乃至図６に示すように、アーム５が枠材２ａの内側面に設けられた上下の係止突起２ｄを乗り越えて係止され、車輪３が固定されるので、車輪３の不意の突出やぐらつき等が防止され、安全に使用できる。
【００１７】
また、図１乃至図３に示すように、車輪３の外周には、ゴム製の緩衝材６が巻き付けられているので、車玩具として使用する際、住宅の床面を保護することができ、走行時の騒音が防止され、乗り心地も良好になる。
【００１８】
また、本体１の尾１ｂが起立状態に保持されて背凭れとなっているので、図７に示すように、ロッキングチェアとして使用する際にも、幼児が本体１からすべり落ちるようなことがなく、安定して本体１に着座することができる。
【００１９】
さらに、図１及び図３に示すように、本体１にボタン１ｃを押すと鳴き声を出す発声器７を内蔵し、その電源となる電池収納ボックス８を本体１の腹部に開口部を介して出し入れ自在に収納しているので、消耗した電池を容易に交換することができる。なお、この開口部は、面ファスナで閉じられるようになっているので、電池収納ボックス８が不意に飛び出すことがない。
【図面の簡単な説明】
【００２０】
【図１】実施形態の乗用玩具を車玩具とした状態を示す前方斜視図
【図２】同上の後方斜視図
【図３】同上の側面図
【図４】同上の車輪支持部を示す部分斜視図
【図５】同上の一部切欠正面図
【図６】同上のフレーム内側から車輪支持部を示す図
【図７】同上の乗用玩具をロッキングチェアとした状態を示す側面図
【符号の説明】
【００２１】
１  本体
１ａ  握り棒
１ｂ  尾
１ｃ  ボタン
２  フレーム
２ａ  枠材
２ｂ  桟材
２ｃ  弧状縁
２ｄ  係止突起
３  車輪
４  車輪支持軸
５  アーム
６  緩衝材
７  発声器
８  電池収納ボックス
【図１】
2006042972.tif 000003
【図２】
2006042972.tif 000004
【図３】
2006042972.tif 000005
【図４】
2006042972.tif 000006
【図５】
2006042972.tif 000007
【図６】
2006042972.tif 000008
【図７】
2006042972.tif 000009